(57)【要約】      （修正有）【課題】商品ハンガーの保持プレートを容易に陳列用パネル内に挿入でき、さらに商品ハンガーが常に窓孔の中心に安定的に保持され、円形の窓孔を備えた美的にも優れた陳列用パネルを提供する。【解決手段】商品ハンガー１３の保持プレート１４の概ね直線状の下辺部を窓孔５の中心部付近から窓内に差し入れ、該下辺部を一旦奧方のかわし溝９に落とし込む。次に、該下辺部を軸として該保持プレート１４を上向きに回転させ窓孔５の半径とほぼ等しく形成された両端円弧状の上辺部を窓内に入れ込む。さらに、上辺部を表壁面４の裏側に沿って上方に摺動させながら上溝７深く差し入れ、同時に該保持プレート１４の下辺部を表壁面４側に引き寄せて下溝８に落とし込む。このとき、該保持プレート１４の側面は、窓孔５によって切り取られた表壁面裏面に突設された低いリブ９の小口に挟まれ左右へのズレが止められる。【選択図】図３
0003157082.tif 000002
【実用新案登録請求の範囲】
【請求項１】
アルミ押出し成形により上辺及び下辺に一体的に連結部を備えた横長平板状の単体パネルを、室内等の壁面上下方向に複数枚連結張設して装飾用壁面を構成する陳列用パネルに於いて、該パネルの表壁面に複数の円形の窓孔を任意の間隔で穿設し、該窓孔に商品ハンガーの保持プレート部全体を挿入して該商品ハンガーを装着するように構成し、さらに、陳列用パネルに装着される商品ハンガーの保持プレートの幅が円形の窓孔の直径より狭く、高さが該窓孔の直径より大きく形成し、また上辺両端が円形の窓孔の半径と等しい円弧状をなすと共に下辺が直線形状であるように構成したことを特徴とする陳列用パネル。
【請求項２】
陳列用パネルの表壁面の裏側長手方向に、窓孔の上方及び下方の所定の位置に表壁面の裏面を一方の内側面とする深い上溝と浅い下溝を対向して設けて商品ハンガーの保持プレートの保持溝とすると共に、下方の保持溝の奥方に該保持溝より深い溝を延設して保持プレート装着時のかわし溝としたことを特徴とする請求項１に記載の陳列用パネル。
【請求項３】
陳列用パネルの表壁面裏側の所定の位置に長手方向にリブが設けられ、円形の窓孔穿設により該リブが表壁面と共に打抜かれたことを特徴とする請求項１あるいは請求項２に記載の陳列パネル。  
【請求項４】
陳列用パネルの最奥部の室内等の壁面への当接部近くに蟻溝を設け、該蟻溝にテープ状のＬＥＤ照明器具を装着する照明器具装着部材に延設された嵌合部を摺動自由に嵌入させたことを特徴とする請求項１あるいは請求項２あるいは請求項３に記載の陳列用パネル。 
【考案の詳細な説明】
【技術分野】
【０００１】
本考案は、室内等の壁面の上下方向に複数枚連結張設して装飾用壁面を構成する陳列用パネルの表壁面に穿設した複数の円形の窓孔に商品ハンガーを装着する陳列用パネルの考案であり、さらに詳しくは、陳列用パネルに装着される商品ハンガーの保持プレートの幅が円形の窓孔の直径より狭く、高さが該窓孔の直径より大きく形成し、また上辺両端が円形の窓孔の半径と等しい円弧状をなすと共に、下辺が直線形状であるように構成したことを特徴とする陳列用パネルに関するものである。
【背景技術】
【０００２】
従来、下記先行技術文献に示す陳列用パネルに関する考案及び発明は既に実施化されているものである。ところが、特許文献１の  実願昭５８−１１８９７３考案の陳列パネルでは、パネル基板から断面横倒T型に一体的に形成された多段の横長のフランジを設け、その上辺に商品ハンガーの保持プレートを掛け止める構成であるがため、フランジの上辺部を傷つけたり、また、パネル表壁面上保持プレートがむき出しになり、装飾壁面としては未だ美観を損なうものとなっていた。さらに、陳列商品をハンガーフックから取り外す際、商品ハンガーの保持プレートが陳列用パネルから外れ易いという機能上の欠点をも有していた。
【０００３】
また、特許文献２の特開平９−２７７７９８発明の陳列用パネルでは、平滑な表壁面に複数の角型の窓孔を穿設し、該窓孔の下辺に商品ハンガーの保持プレートを掛け止めする構成ゆえ、商品ハンガーの保持プレートを該角型窓孔に挿入してパネル内に収めることは可能であり、装飾壁面としての美観を損ねることを回避できる。しかしながら、該発明に於いては商品ハンガーの保持プレートがパネル内で左右に摺動し、該商品ハンガーが角型窓孔の中心からずれ易いという欠点があつた。
また、陳列用パネルを装飾壁面として取り入れた店舗等の業態によっては、角型窓孔よりも装飾性に優れた円形の窓孔を望む声が強くなったが、該発明の技術では中心から離れるに従って次第に幅の狭まる円形の窓孔に商品ハンガーの保持プレートを挿入することができず、円形の窓孔による商品化は至らなかった。
【０００４】
すなわち、該発明は商品ハンガーの保持プレートをパネル内に挿入するとき、まず角型窓孔の開口幅よりやや狭い縦長である該プレートの上辺部を該窓孔にくぐらせ、表壁面の裏面に沿って上方に押し上げながら下辺部を挿入した後、下方に下ろして該下辺部を保持溝に落とし込む手順となる。つまりケンドンと呼ばれる装着方法である。この手順を円形の窓孔に当てはめた場合、中心から離れるに従って次第に幅の狭まる円形の窓孔では、保持プレートは窓孔の中心付近の開口幅の広い部分でしか挿入できないため、表壁面の裏面に沿って上方へ押し上げることができなかった。
【先行技術文献】
【特許文献】
【０００５】
【特許文献１】実願昭５８−１１８９７３
【特許文献２】特開平９−２７７７９８
【考案の概要】
【考案が解決しようとする課題】
【０００６】
上記従来技術により、本考案が解決しようとする課題は以下のとおりである。
まず、第１点目の課題として、商品ハンガーの保持プレートの幅を陳列用パネルの円形窓孔の直径より狭く、しかも高さを該窓孔より大きく構成すること。第２点目の課題として、保持プレートの上辺両端を円形の窓孔の半径と等しく円弧状とすると共に下辺を直線形状であるように構成すること。第３点目の課題として陳列用パネルの表壁面の裏側長手方向に、窓孔の上方に深い上溝と下方に浅い下溝を対向して設けて商品ハンガーの保持プレートの保持溝とすると共に、下方の保持溝の奥方に該保持溝より深い溝を延設して保持プレート装着時のかわし溝を設けるように構成すること。第４点目の課題として、陳列用パネルの表壁面裏側の所定の位置に長手方向の低めのリブが設けられ、円形の窓孔穿設により該リブが表壁面と共に打抜かれたように構成することである。
【課題を解決するための手段】
【０００７】
本考案は、上記課題を解決するためになされたものであって、以下に示す解決手段を提供する。
＜解決手段１＞
アルミ押出し成形により上辺及び下辺に一体的に連結部を備えた横長平板状の単体パネルを、室内等の壁面上下方向に複数枚連結張設して装飾用壁面を構成する陳列用パネルに於いて、該パネルの表壁面に複数の円形の窓孔を任意の間隔で穿設し、該窓孔に商品ハンガーの保持プレート部全体を挿入して該商品ハンガーを装着するように構成し、さらに陳列用パネルに装着される商品ハンガーの保持プレートの幅が円形の窓孔の直径より狭く、高さが該窓孔の直径より大きく形成し、また上辺両端が円形の窓孔の半径と等しい円弧状をなすと共に下辺が直線形状であるように構成したことを特徴とする陳列用パネル。
＜解決手段２＞
陳列用パネルの表壁面の裏側長手方向に、窓孔の上方及び下方の所定の位置に表壁面の裏面を一方の内側面とする深い上溝と浅い下溝を対向して設けて商品ハンガーの保持プレートの保持溝とすると共に、下方の保持溝の奥方に該保持溝より深い溝を延設して保持プレート装着時のかわし溝としたことを特徴とする解決手段１に記載の陳列用パネル。
＜解決手段３＞
陳列用パネルの表壁面裏側の所定の位置に長手方向にリブが設けられ、円形の窓孔穿設により該リブが表壁面と共に打ち抜かれたことを特徴とする解決手段１あるいは解決手段２に記載の陳列用パネル。
＜解決手段４＞
陳列用パネルの最奥部の室内等の壁面への当接部近くに蟻溝を設け、該蟻溝にテープ状のLED照明器具を装着する照明器具装着部材に延設された嵌合部を摺動自由に嵌入させたことをと特徴とする解決手段１あるいは解決手段２あるいは解決手段３に記載の陳列用パネル。
【考案の効果】
【０００８】
本考案の陳列用パネルは、前述のような構成であるから、商品ハンガーの装着にあたっては、従来のケンドンによる装着方法とは、手順が異なり、先ず、商品ハンガーの保持プレート直線状の下辺部を円形の窓孔の中心部付近から窓内に差し入れ、該下辺部を一旦奥方のかわし溝に落とし込んだ後、該下辺部を軸として該保持プレートを上向きに回転させ両端円弧状の上辺部を窓内に入れ込む。次に上辺部を表壁面の裏側に沿って上方に摺動させながら上溝深く差し入れ、同時に該プレートの下辺部を引き寄せ下溝に落とし込む。このとき保持プレートの下辺部は直線状に構成してあるから下辺部の全面が下溝内に接触して着地している。この手順により円形の窓孔に商品ハンガーを装着することができる。図３の（ｄ）断面図で見ると保持プレートの上辺部の掛かりが少なく不安定相に見えるが、円弧状の上辺部両端が表壁面の裏面にしつかりと当接しており商品ハンガーの落下防止にとどまらず十分な強度が保たれている。
【０００９】
上溝及び下溝の保持溝に収まった商品ハンガーの保持プレートは、表壁面の裏面に当接した状態で保持されるが、該表壁面裏面に設けられた低いリブは円形の窓孔と共に打ち抜かれて該保持プレートの厚みを受ける保持溝の幅には影響を与えない。しかし該保持プレートが左右へ摺動しようとするときには、該リブの切断部分に保持プレートの側面が当たり横ズレを阻止し、商品ハンガーを窓孔の中心位置に保持させている。
【００１０】
以上のように、本考案の陳列用パネルは円形の窓孔による陳列表現を現実的なものとし、商品ハンガーによる表壁面の損傷を防ぐと共に窓孔周辺に荷重を分散して耐荷重を増大させるという効果も実現した。さらに、円形の窓孔と内包される照明器具が装飾壁面としてのより一層の美的効果が期待される。
【図面の簡単な説明】
【００１１】
【図１】本考案の一実施例に係る陳列用パネルの側縦断面図である。
【図２】本考案の一実施例に係る商品ハンガーの一例を示す図である。（ａ）は正面図である。（ｂ）は側面図である。
【図３】本実施例の陳列用パネルへの商品ハンガーの装着手順を示す断面図である。（ａ）は商品ハンガーの保持プレートの下辺部を窓孔から差し入れ、該下辺部をかわし溝に落とし込む状態を示す縦断面図である。  （ｂ）は下辺部を軸として保持プレートを上向きに回転させ、上辺部を窓孔内に入れ込んだ状態を示す縦断面図である。  （ｃ）は保持プレートの上辺部を表壁面の裏側に沿って上方に摺動させて上溝深く差し込む状態を示す縦断面図である。  （ｄ）は保持プレートの下辺部を表壁面裏面に引き寄せて下溝に落とし込んだ状態を示す縦断面図である。
【図４】本実施例の陳列用パネルに商品ハンガーを装着した状態を示す正面図である。
【図５】本実施例の陳列用パネルにテープ状のＬＥＤ照明器具を装着する照明器具装着部材を装着した状態を示す縦断面図である。
【考案を実施するための形態】
【００１２】
以下本考案の陳列用パネルの実施するための形態を図面に基づいて詳細に説明する。
【００１３】
本考案の陳列用パネル１は、室内等の壁面上に上下に複数連結張設して装飾用壁面を構成するものであり、図１は壁面側最上端に上方連結部２、壁面側最下端に下方連結部３を備えた単体陳列用パネル１の断面を示している。該陳列用パネル１の平滑な表壁面４には所定の位置に複数の円形
の窓孔５が穿設されており、該表壁面４の裏面の比較的窓孔５の中心部に近い位置には、長手方向の低めのリブ６が一体的に突設されて、該窓孔５により切り取られている。また、表壁面４の裏面には窓孔５のやや上方及び下方となる所定の位置に、表壁面４の裏面を一方の内側面とするやや深い上溝７とやや浅い下溝８が対向して設けられ、商品ハンガー１３の保持プレート１４の保持溝をなすと共に、下溝８の奥方に該下溝８よりやや深い保持プレート１４のかわし溝９が設けられている。
【００１４】
本実施例では、かわし溝９のさらに奥方に装飾プレート１７を装着する上下一対の装着溝１０が設けられ、最奥近くには別部材であるテープ状のＬＥＤ照明器具１６を装着する照明器具装着部材１２の嵌合部を摺動自由に嵌入させるための蟻溝１１が上下対向して設けられている。
【００１５】
図２に示す商品ハンガー１３は、保持プレート１４にハンガー１５部分を突設したものであるが、該ハンガー１５部分の形状については一例であって、陳列目的によって多種のバリエーションが考えられる。一方、保持プレート１４については本考案を構成する上で重要な部分を占めている。すなわち、二面幅が窓孔５の直径よりやや狭く、高さが該直径より大きい長方形の板を、上辺両端を該窓孔５の半径とほぼ等しい円弧状に形成すると共に、下辺両端を僅かに円弧状に形成し概ね直線とした形状を特徴とする。また、該保持プレート１４の厚さは当然ながら上下の保持溝よりやや薄いものを使用する。つまり、一例として保持溝の幅は３６ミリメートル高さは４８ミリメートル半径は２０ミリメートルとすることが望ましい。
【００１６】
図３は本実施例の商品ハンガー１３を本考案の陳列用パネル１に装着する手順を示している。装着に当って、まず、商品ハンガー１３の保持プレート１４の概ね直線状の下辺部を窓孔５の中心部付近から窓内に差し入れ、該下辺部を一旦奥方のかわし溝９に落とし込む。次に、該下辺部を軸として該保持プレート１４を上向きに回転させ窓孔５の半径とほぼ等しく形成された両端円弧状の上辺部を窓内に入れ込む。さらに、上辺部を表壁面４の裏側に沿って上方に摺動させながら上溝７深く差し入れ、同時に該保持プレート１４の下辺部を表壁面４側に引き寄せて下溝８に落とし込む。
このとき、該保持プレート１４の側面は、窓孔５によって切り取られた表壁面裏面に突設された低いリブ９の小口に挟まれ左右へのズレが止められる。
【００１７】
図４は横長の形状である本実施例陳列用パネル１の部分正面図である。窓孔５が所定の間隔で並び、一部に商品ハンガー１３が装着された状態を示している。該商品ハンガー１３の保持プレート１４は窓孔５の内側で保持されて外郭が見えない。
【００１８】
図５はテープ状のＬＥＤ照明器具１６を装着した照明器具装着部材１２を本実施例の陳列用パネル１に装着した場合の断面図である。陳列用パネル１の最奥部近くに設けられた上下の蟻溝１１，１１に照明器具装着部材１２、１２の嵌合部が夫々摺動自由に嵌入され、上下照明器具装着部材１２，１２にテープ状のＬＥＤ照明器具１６が装着されている。また、本実施例では上下一対の装着溝１０に装着された透明又は半透明の装飾プレート１７が窓孔５に対向して照明効果を高めている。
【産業上の利用可能性】
【００１９】
考案が解決しようとする課題の項で述べたように、先行技術文献１，２の考案及び発明は既に商品化されて、店舗等の装飾壁面材として使用されているが、その課題は、依然として解決されていない現状である。本考案は従来の課題を解決し、さらに装飾的効果をも高めた画期的な陳列用パネルを提供しようとするものであるゆえ、市場に好評、歓迎される可能性は確実、多大なものがある。
【符号の説明】
【００２０】
１    陳列用パネル      
２    上方連結部
３    下方連結部
４    表壁面
５    窓孔
６    リブ
７    上溝
８    下溝
９    かわし溝
１０    装着溝
１１    蟻溝
１２    照明器具装着部材
１３    商品ハンガー
１４    保持プレート
１５    ハンガー
１６    ＬＥＤ照明器具
１７    装飾プレート
【図１】
0003157082.tif 000003
【図２】
0003157082.tif 000004
【図３】
0003157082.tif 000005
【図４】
0003157082.tif 000006
【図５】
0003157082.tif 000007